(57)【特許請求の範囲】
【請求項１】
回線交換網とパケット通信網とを相互に接続するためのゲートウェイ装置であって、
回線交換網から入力される回線交換網信号を装置内信号に変換するとともに、装置内信号が入力されると回線交換網信号に変換して回線交換網に送出する回線交換網インタフェース部と、他のパッケージとの間で装置内信号の送受信を行う装置内インタフェース部とを含む回線交換網入出力用パッケージを、運用系と待機系とで二重化して備え、
パケット通信網から入力されるパケット信号を装置内信号に変換するとともに、装置内信号が入力されるとパケット信号に変換してパケット通信網に送出するパケット通信網インタフェース部と、他のパッケージとの間で装置内信号の送受信を行う装置内インタフェース部とを含むパケット通信網入出力用パッケージを、運用系と待機系とで二重化して備えたゲートウェイ装置において、
前記各パッケージに含まれる装置内インタフェース部は、装置内信号の宛先とされるパッケージが二重化されたパッケージである場合には、運用系と待機系の両方に送信するとともに、二重化されたパッケージから装置内信号を受信する場合には、待機系として動作しているパッケージからの装置内信号を破棄し、
前記回線交換網インタフェース部は、当該回線交換網インタフェース部を含む回線交換網入出力用パッケージが待機系として動作している場合には回線交換網への信号送出を遮断し、
前記パケット通信網インタフェース部は、当該パケット通信網インタフェース部を含むパケット通信網入出力用パッケージが待機系として動作している場合にはパケット通信網への信号送出を遮断する
ことを特徴とするゲートウェイ装置。
【請求項２】
回線交換網インタフェース部とパケット通信網インタフェース部との間の装置内信号の入出力経路上に、前記回線交換網インタフェース部によって変換される装置内信号および前記パケット通信網インタフェース部によって変換される装置内信号を、それぞれ接続先の網のプロトコルに対応する装置内信号に変換する処理を含む呼制御処理を行う呼制御機能部を備えた
請求項１に記載のゲートウェイ装置。
【請求項３】
運用系回線交換網入出力用パッケージと待機系回線交換網入出力用パッケージとに、同一の回線交換網信号を入力させる回線交換網信号複製手段と、
運用系パケット通信網入出力用パッケージと待機系パケット通信網入出力用パッケージとに、同一のパケット信号を入力させるパケット網信号複製手段とを備えた
請求項１または請求項２に記載のゲートウェイ装置。
【請求項４】
各パッケージ内において、二重化されたパッケージの系状態を判定するための情報を保持する系状態保持部を含む
請求項１から請求項３のうちのいずれか１項に記載のゲートウェイ装置。
【請求項５】
二重化されたパッケージの障害状態を収集し、どちらを運用系として動作させるかを決定し、系切り替えが生じた際に各パッケージの系状態保持部が保持している情報を更新させるための制御を行う系状態制御部を備えた
請求項１から請求項４のうちのいずれか１項に記載のゲートウェイ装置。
【請求項６】
回線交換網信号が光信号であるゲートウェイ装置において、
回線交換網インタフェース部は、回線交換網から入力される回線交換網信号を電気信号に変換することによって装置内信号に変換し、また、装置内信号を光信号に変換することによって回線交換網信号に変換し、
パケット通信網インタフェース部は、パケット通信網から入力されるパケット信号を組み立てることによって装置内信号に変換し、また、装置内信号をパケット化することによってパケット信号に変換する
請求項２から請求項５のうちのいずれか１項に記載のゲートウェイ装置。
【請求項７】
回線交換網がＩＳＤＮ網であって、パケット通信網がＩＰ網である
請求項１から請求項６のうちのいずれか１項に記載のゲートウェイ装置。
【請求項８】
異なるプロトコルの通信網間を相互に接続するためのゲートウェイ装置に具備され、一方の通信網とのインタフェースを有する信号処理装置であって、前記ゲートウェイ装置において運用系と待機系とに二重化されて具備されるとともに、少なくとも前記ゲートウェイ装置において運用系と待機系とに二重化して具備される第２の信号処理装置とのインタフェースを有する信号処理装置において、
前記通信網から入力される網信号を装置内信号に変換するとともに、装置内信号が入力されると網信号に変換して前記通信網に送出する網インタフェース部と、
前記ゲートウェイ装置内において、前記第２の信号処理装置との間で装置内信号の送受信を行う装置内インタフェース部と、
当該信号処理装置自身および前記二重化された各第２の信号処理装置が運用系であるか待機系であるかを判定するための情報を保持する系状態保持部とを備え、
前記装置内インタフェース部は、二重化された前記第２の信号処理装置に向けて装置内信号を送信する場合には、運用系と待機系の両方に送信するとともに、二重化された前記第２の信号処理装置から装置内信号を受信する場合には、待機系として動作している第２の信号処理装置からの装置内信号を破棄し、
前記網インタフェース部は、当該信号処理装置が待機系として動作している場合には前記通信網への信号送出を遮断する
ことを特徴とする信号処理装置。
【請求項９】
回線交換網から入力される回線交換網信号を装置内信号に変換するとともに、装置内信号が入力されると回線交換網信号に変換して回線交換網に送出する回線交換網インタフェース部と、他のパッケージとの間で装置内信号の送受信を行う装置内インタフェース部とを含む回線交換網入出力用パッケージ、およびパケット通信網から入力されるパケット信号を装置内信号に変換するとともに、装置内信号が入力されるとパケット信号に変換してパケット通信網に送出するパケット通信網インタフェース部と、他のパッケージとの間で装置内信号の送受信を行う装置内インタフェース部とを含むパケット通信網入出力用パッケージを、それぞれ運用系と待機系とで二重化して備えたゲートウェイ装置におけるトラフィック制御方法であって、
運用系回線交換網入出力用パッケージと待機系回線交換網入出力用パッケージとに、同一の回線交換網信号を入力し、
二重化された各回線交換網入出力用パッケージの装置内インタフェース部が、二重化されたパケット通信網入出力用パッケージに向けて装置内信号を送信する場合に運用系と待機系の両方に送信し、
二重化された各パケット通信網入出力用パッケージの装置内インタフェース部が、二重化された回線交換網入出力用パッケージから装置内信号を受信する場合に待機系回線交換網入出力用パッケージからの装置内信号を破棄し、
前記パケット通信網インタフェース部が、当該パケット通信網インタフェース部を含むパケット通信網入出力用パッケージが待機系として動作している場合にパケット通信網への信号送出を遮断し、
運用系パケット通信網入出力用パッケージと待機系パケット通信網入出力用パッケージとに、同一のパケット信号を入力し、
二重化された各パケット通信網入出力用パッケージの装置内インタフェース部が、二重化された回線交換網入出力用パッケージに向けて装置内信号を送信する場合に、運用系と待機系の両方に送信し、
二重化された各回線交換網入出力用パッケージの装置内インタフェース部が、二重化された各パケット通信網入出力用パッケージから装置内信号を受信する場合に、待機系パケット通信網入出力用パッケージからの装置内信号を破棄し、
前記回線交換網インタフェース部が、当該回線交換網インタフェース部を含む回線交換網入出力用パッケージが待機系として動作している場合に、回線交換網への信号送出を遮断する
ことを特徴とするトラフィック制御方法。
【請求項１０】
各パッケージに含まれる装置内インタフェース部が、二重化された各パッケージから装置内信号を受信する場合に、当該装置内インタフェース部を含むパッケージにおいて、二重化されたパッケージの系状態を判定するための情報を保持する系状態保持部に保持されている情報に基づいて、受信する装置内信号を破棄するか否かを決定し、
回線交換網インタフェース部が、当該回線交換網インタフェース部を含むパッケージの前記系状態保持部に保持されている情報に基づいて、回線交換網への信号送出を遮断するか否かを決定し、
パケット通信網インタフェース部が、当該パケット通信網インタフェース部を含むパッケージの前記系状態保持部に保持されている情報に基づいて、パケット通信網への信号送出を遮断するか否かを決定する
請求項９に記載のトラフィック制御方法。
【請求項１１】
異なるプロトコルの通信網間を相互に接続するためのゲートウェイ装置に具備され、一方の通信網とのインタフェースを有する信号処理装置であって、前記ゲートウェイ装置において運用系と待機系とに二重化されて具備されるとともに、少なくとも前記ゲートウェイ装置において運用系と待機系とに二重化して具備される第２の信号処理装置とのインタフェースを有する信号処理装置に適用される信号処理用プログラムであって、
コンピュータに、
前記通信網から入力される網信号を装置内信号に変換する処理、
装置内信号が入力されると網信号に変換して前記通信網に送出する処理、
二重化された前記第２の信号処理装置に向けて装置内信号を送信する場合に、運用系と待機系の両方に送信する処理、
二重化された前記第２の信号処理装置から装置内信号を受信する場合に、待機系として動作している第２の信号処理装置からの装置内信号を破棄する処理、および
当該コンピュータが待機系として動作している場合に、前記通信網への信号送出を遮断する処理
を実行させるための信号処理用プログラム。
【発明の詳細な説明】
【技術分野】
【０００１】
本発明は、回線交換網とパケット通信網とを相互に接続するためのゲートウェイ装置、トラフィック制御方法、信号処理装置および信号処理用プログラムに関し、特に、回線交換網およびパケット通信網を収容する部分を運用系と待機系とに二重化した上で回線交換網とパケット通信網との相互接続を行うゲートウェイ装置、トラフィック制御方法、信号処理装置および信号処理用プログラムに関する。
【背景技術】
【０００２】
従来、アクセスネットワークを収容する部分を運用系と待機系とに二重化冗長する場合には、装置自体を二重化してそれを管理する第三装置を設置する方法か、装置内でデータの入出力部およびデータを処理する部分を二重化した上で運用系にのみデータの流れが通過するように経路管理を行う方法が採られていた。
【０００３】
通信装置の二重化に関し、例えば、特許文献１には、交換手段からパケット通信網に向けて出力される装置内信号をパケット化する信号変換手段から出力されるパケット信号をパケット通信網における宛先に向け経路制御して送出するパケットスイッチ部に、運用系（現用系パケットスイッチ）と待機系（予備系パケットスイッチ）とを備えて冗長化し、運用系の障害時にはパケット信号を予備系に入力し、運用系および待機系の無障害時にはパケット信号を運用系と予備系とに入力する切替手段とを備えたゲートウェイ装置が記載されている。
【０００４】
【特許文献１】特開２００７−０１９８３１号公報
【発明の開示】
【発明が解決しようとする課題】
【０００５】
しかし、装置自体を二重化してそれを管理／制御する第三装置を設置する方法では、大規模なシステム構築が必要になる。また、装置内でデータの入出力部およびデータを処理する部分を二重化した上でその運用系にのみデータの流れが通過するように経路管理／制御を行う方法では、装置内でデータストリームの進行方向が常に運用系を向くような経路選択およびルーティング機能が必要であり、系切り替え処理が煩雑であるという問題がある。
【０００６】
例えば、運用系で管理されている回線交換中の呼状態が、新たに運用系となる側に正しく引き継がれないと通信ネットワークシステムとして異常な状態となってしまうため、系切り替え時には、運用系として動作していたパッケージと新たに運用系となるパッケージとの間で、呼情報の引継等呼状態を同期させるための処理が必要となる。なお、パッケージとは、ゲートウェイ装置を構成する機能部の物理的な単位を示している。
【０００７】
なお、特許文献１に記載されているゲートウェイ装置は、パケット通信網への出力を行うパケットスイッチ部の二重化について説明しているだけであって、パケット通信網からの入力や回線交換網との入出力部分の二重化は何ら考慮されていない。
【０００８】
そこで、本発明は、回線交換網とパケット通信網とを相互に接続するためのゲートウェイ装置において、回線交換網およびパケット通信網を収容する部分を運用系と待機系とに二重化した場合であっても系切り替え時の処理が煩雑でないゲートウェイ装置、トラフィック制御方法、信号処理装置および信号処理用プログラムを提供することを目的とする。
【課題を解決するための手段】
【０００９】
本発明によるゲートウェイ装置は、回線交換網とパケット通信網とを相互に接続するためのゲートウェイ装置であって、回線交換網から入力される回線交換網信号を装置内信号に変換するとともに、装置内信号が入力されると回線交換網信号に変換して回線交換網に送出する回線交換網インタフェース部と、他のパッケージとの間で装置内信号の送受信を行う装置内インタフェース部とを含む回線交換網入出力用パッケージを、運用系と待機系とで二重化して備え、パケット通信網から入力されるパケット信号を装置内信号に変換するとともに、装置内信号が入力されるとパケット信号に変換してパケット通信網に送出するパケット通信網インタフェース部と、他のパッケージとの間で装置内信号の送受信を行う装置内インタフェース部とを含むパケット通信網入出力用パッケージを、運用系と待機系とで二重化して備えたゲートウェイ装置において、各パッケージに含まれる装置内インタフェース部は、装置内信号の宛先とされるパッケージが二重化されたパッケージである場合には、運用系と待機系の両方に送信するとともに、二重化されたパッケージから装置内信号を受信する場合には、待機系として動作しているパッケージからの装置内信号を破棄し、回線交換網インタフェース部は、当該回線交換網インタフェース部を含む回線交換網入出力用パッケージが待機系として動作している場合には回線交換網への信号送出を遮断し、パケット通信網インタフェース部は、当該パケット通信網インタフェース部を含むパケット通信網入出力用パッケージが待機系として動作している場合にはパケット通信網への信号送出を遮断することを特徴とする。
【００１０】
また、本発明による信号処理装置は、異なるプロトコルの通信網間を相互に接続するためのゲートウェイ装置に具備され、一方の通信網とのインタフェースを有する信号処理装置であって、ゲートウェイ装置において運用系と待機系とに二重化されて具備されるとともに、少なくともゲートウェイ装置において運用系と待機系とに二重化して具備される第２の信号処理装置とのインタフェースを有する信号処理装置において、通信網から入力される網信号を装置内信号に変換するとともに、装置内信号が入力されると網信号に変換して通信網に送出する網インタフェース部と、ゲートウェイ装置内において、第２の信号処理装置との間で装置内信号の送受信を行う装置内インタフェース部と、ゲートウェイ装置において、二重化された信号処理装置の系状態を判定するための情報を保持する系状態保持部とを備え、装置内インタフェース部は、二重化された第２の信号処理装置に向けて装置内信号を送信する場合には、運用系と待機系の両方に送信するとともに、二重化された第２の信号処理装置から装置内信号を受信する場合には、待機系として動作している第２の信号処理装置からの装置内信号を破棄し、網インタフェース部は、当該信号処理装置が待機系として動作している場合には通信網への信号送出を遮断することを特徴とする。
【００１１】
また、本発明によるトラフィック制御方法は、回線交換網から入力される回線交換網信号を装置内信号に変換するとともに、装置内信号が入力されると回線交換網信号に変換して回線交換網に送出する回線交換網インタフェース部と、他のパッケージとの間で装置内信号の送受信を行う装置内インタフェース部とを含む回線交換網入出力用パッケージ、およびパケット通信網から入力されるパケット信号を装置内信号に変換するとともに、装置内信号が入力されるとパケット信号に変換してパケット通信網に送出するパケット通信網インタフェース部と、他のパッケージとの間で装置内信号の送受信を行う装置内インタフェース部とを含むパケット通信網入出力用パッケージを、それぞれ運用系と待機系とで二重化して備えたゲートウェイ装置におけるトラフィック制御方法であって、運用系回線交換網入出力用パッケージと待機系回線交換網入出力用パッケージとに、同一の回線交換網信号を入力し、二重化された各回線交換網入出力用パッケージの装置内インタフェース部が、二重化されたパケット通信網入出力用パッケージに向けて装置内信号を送信する場合に運用系と待機系の両方に送信し、二重化された各パケット通信網入出力用パッケージの装置内インタフェース部が、二重化された回線交換網入出力用パッケージから装置内信号を受信する場合に待機系回線交換網入出力用パッケージからの装置内信号を破棄し、パケット通信網インタフェース部が、当該パケット通信網インタフェース部を含むパケット通信網入出力用パッケージが待機系として動作している場合にパケット通信網への信号送出を遮断し、運用系パケット通信網入出力用パッケージと待機系パケット通信網入出力用パッケージとに、同一のパケット信号を入力し、二重化された各パケット通信網入出力用パッケージの装置内インタフェース部が、二重化された回線交換網入出力用パッケージに向けて装置内信号を送信する場合に、運用系と待機系の両方に送信し、二重化された各回線交換網入出力用パッケージの装置内インタフェース部が、二重化された各パケット通信網入出力用パッケージから装置内信号を受信する場合に、待機系パケット通信網入出力用パッケージからの装置内信号を破棄し、回線交換網インタフェース部が、当該回線交換網インタフェース部を含む回線交換網入出力用パッケージが待機系として動作している場合に、回線交換網への信号送出を遮断することを特徴とする。
【００１２】
また、本発明による信号処理用プログラムは、異なるプロトコルの通信網間を相互に接続するためのゲートウェイ装置に具備され、一方の通信網とのインタフェースを有する信号処理装置であって、ゲートウェイ装置において運用系と待機系とに二重化されて具備されるとともに、少なくともゲートウェイ装置において運用系と待機系とに二重化して具備される第２の信号処理装置とのインタフェースを有する信号処理装置に適用される信号処理用プログラムであって、コンピュータに、通信網から入力される網信号を装置内信号に変換する処理、装置内信号が入力されると網信号に変換して通信網に送出する処理、二重化された第２の信号処理装置に向けて装置内信号を送信する場合に、運用系と待機系の両方に送信する処理、二重化された第２の信号処理装置から装置内信号を受信する場合に、待機系として動作している第２の信号処理装置からの装置内信号を破棄する処理、および当該信号処理装置が待機系として動作している場合に、通信網への信号送出を遮断する処理を実行させることを特徴とする。
【発明の効果】
【００１３】
本発明によれば、回線交換網とパケット通信網とを相互に接続するためのゲートウェイ装置において、回線交換網およびパケット通信網を収容する部分を運用系と待機系とに二重化した場合の系切り替え時の処理の煩雑さをなくすことができる。
【発明を実施するための最良の形態】
【００１４】
以下、本発明の実施の形態を図面を参照して説明する。図１は、本発明によるゲートウェイ装置の構成例を示すブロック図である。図１に示すゲートウェイ装置１は、回線交換網側の信号入出力機能を持つ回線交換網入出力パッケージ２０（２０−１，２０−２）と、パケット通信網側の信号入出力機能を持つパケット通信網入出力パッケージ３０（３０−１，３０−２）とを備える。なお、本実施形態では、回線交換網入出力パッケージ２０およびパケット通信網入出力パッケージ３０を、それぞれ運用系として動作するパッケージと待機系として動作するパッケージの二系統分備えることによって二重化を行っている。
【００１５】
なお、回線交換網入出力パッケージ２０−１と回線交換網入出力パッケージ２０−２とには、同一の回線交換網信号が入力される。また、パケット通信網入出力パッケージ３０−１とパケット通信網入出力パッケージ３０−２とには、同一のパケット信号が入力される。
【００１６】
回線交換網入出力パッケージ２０は、回線交換網インタフェース部（以下、回線交換網Ｉ／Ｆ部という。）２０１と、装置内インタフェース部（以下、装置内Ｉ／Ｆ部という。）１０１とを含む。
【００１７】
また、パケット通信網入出力パッケージ３０は、パケット通信網インタフェース部（以下、パケット通信網Ｉ／Ｆ部という。）３０１と、装置内Ｉ／Ｆ部１０１とを含む。
【００１８】
装置内Ｉ／Ｆ部１０１は、他のパッケージとの間で装置内信号の送受信を行う。また、装置内Ｉ／Ｆ部１０１は、二重化されたパッケージ宛てに網間接続に係る装置内信号を送信する場合には運用系と待機系の両方に到達するように送信先を制御する。また、二重化されたパッケージから網間接続に係る装置内信号を受信した場合に、待機系として動作しているパッケージから送信された装置内信号であれば該装置内信号を破棄する処理を行う。なお、網間接続に係る装置内信号とは、具体的には、後述する回線交換網Ｉ／Ｆ部２０１によって変換される装置内信号、パケット通信網Ｉ／Ｆ部３０１によって変換される装置内信号、および呼制御手段によって変換される装置内信号を指す。図１において装置内Ｉ／Ｆ部１０１上にある台形の切り欠け印は、装置内Ｉ／Ｆ部１０１が、送信元が運用系として動作しているか否かに応じて受信信号を破棄する受信破棄機能を具備していることを示している。
【００１９】
回線交換網Ｉ／Ｆ部２０１は、回線交換網から回線交換網信号を入力して装置内信号に変換するとともに、装置内信号が入力されると回線交換網信号に変換して回線交換網に送出する。回線交換網Ｉ／Ｆ部２０１は、当該回線交換網入出力パッケージ２０が運用系として動作している場合にのみ回線交換網に回線交換網信号を送出する。図１において回線交換網Ｉ／Ｆ部２０１上にある三角形の切り欠け印は、回線交換網Ｉ／Ｆ部２０１が、運用系として動作しているか否かに応じて回線交換網への信号送出を遮断する送出遮断機能を具備していることを示している。
【００２０】
パケット通信網Ｉ／Ｆ部３０１は、パケット通信網からパケット信号を入力して装置内信号に変換するとともに、装置内信号が入力されるとパケット信号に変換してパケット通信網に送出する。パケット通信網Ｉ／Ｆ部３０１は、当該パケット通信網入出力パッケージ３０が運用系として動作している場合にのみパケット通信網にパケット信号を送出する。図１においてパケット通信網Ｉ／Ｆ部３０１上にある三角形の切り欠け印は、パケット通信網Ｉ／Ｆ部３０１が、運用系として動作しているか否かに応じてパケット通信網への信号送出を遮断する送出遮断機能を具備していることを示している。
【００２１】
なお、図示省略しているが、回線交換網Ｉ／Ｆ部２０１とパケット通信網Ｉ／Ｆ部３０１との間の装置内信号の入出力経路上に、回線交換網Ｉ／Ｆ部２０１によって変換される装置内信号およびパケット通信網Ｉ／Ｆ部３０１によって変換される装置内信号に対し、該装置内信号を接続先の網のプロトコルに対応する装置内信号に変換する処理を含む呼制御処理を行う呼制御機能部が設けられている。なお、本実施形態では、呼制御機能部が、パケット通信網入出力パッケージ３０において、パケット通信網Ｉ／Ｆ部３０１と装置内Ｉ／Ｆ部１０１の間に設けられている場合を例に用いて説明する。
【００２２】
以下、より具体的な構成例を用いて説明する。図２は、本実施形態によるゲートウェイ装置のより具体的な構成例を示すブロック図である。図２に示すゲートウェイ装置１は、ＩＳＤＮ網である回線交換網とＩＰ網であるパケット通信網とを相互に接続するためのゲートウェイ装置であって、図１における回線交換網入出力パッケージ２０に相当するＰＲＩパッケージ２０（２０−１，２０−２）と、パケット通信網入出力パッケージ３０に相当するＧＷＣパッケージ３０（３０−１，３０−２）とを備える。なお、本例においても、ＰＲＩパッケージ２０およびＧＷＣパッケージ３０を、それぞれ運用系として動作するパッケージと待機系として動作するパッケージの二系統分備えることによって二重化を行っている。
【００２３】
なお、本例において、ＩＳＤＮ網からの光入力は、光信号を分岐（複製）させるスプリッタ４０１を利用して、ＰＲＩパッケージ２０の両系に同じデータストリーム（具体的には光信号）を入力させている。両系とは、運用系と待機系の両方を指す。なお、ＩＳＤＮ網への光出力は、光信号を合成させるスプリッタ４０２を利用して、ＰＲＩパッケージ２０の両系からの信号を１本の光出力回線に出力させている。また、ＩＰ網側には、Ｌ３スイッチ５０１をＩＰ終端として設け、Ｌ３スイッチ５０１でミラーリング（複製）させることによって、ＧＷＣパッケージ３０の両系に同じデータストリーム（具体的にはパケット信号）を入力させている。なお、Ｌ３スイッチ５０１を設けずに、ＧＷＣパッケージ３０をＩＰ終端とする場合には、各ＧＷＣパッケージ３０で異なるＩＰアドレスで動作させた上で、運用系として動作しているＧＷＣパッケージ３０が受信したパケット信号を自ら待機系として動作しているＧＷＣパッケージ３０にミラーリングして渡すようにしてもよい。
【００２４】
ＰＲＩ（Primary Rate Interface）パッケージ２０は、光回線を装着して光信号を電気信号に変換するためのパッケージであって、ＩＳＤＮ網インタフェース部（以下、ＩＳＤＮ網Ｉ／Ｆ部という。）２０１と、対ＧＷＣパッケージインタフェース部（以下、対ＧＷＣＩ／Ｆ部という。）２０２と、系状態保持部２０３とを含む。
【００２５】
ＧＷＣ（Gateway Controller）パッケージ３０は、Ｌ３スイッチ５０１を介してＩＰ網との入出力を行うＬＡＮスイッチを収容してパケット信号の入出力を行いつつ、装置内の管理・制御および呼制御処理を行うためのパッケージであって、ＩＰ網インタフェース部（以下、ＩＰ網Ｉ／Ｆ部という。）３０１と、呼制御機能部３０２と、対ＰＲＩパッケージインタフェース部（以下、対ＰＲＩ  Ｉ／Ｆ部という。）３０３と、系状態保持部３０４と、系状態制御部３０５とを含む。
【００２６】
ＩＳＤＮ網Ｉ／Ｆ部２０１は、ＩＳＤＮ網から光信号を入力して該光信号を電気信号に変換することによってＩＳＤＮ網のプロトコルに対応した電気信号である装置内信号に変換する。また、ＩＳＤＮ網のプロトコルに対応した電気信号である装置内信号が入力されると該装置内信号を光信号に変換して回線交換網に送出する。ＩＳＤＮ網Ｉ／Ｆ部２０１は、当該ＰＲＩパッケージ２０が運用系として動作している場合にのみＩＳＤＮ網に光信号を送出する。
【００２７】
対ＧＷＣＩ／Ｆ部２０２は、ＰＲＩパッケージ２０−ＧＷＣパッケージ３０間で網間接続に係る装置内信号の送受信を行う。対ＧＷＣＩ／Ｆ部２０２は、具体的には、ＧＷＣパッケージ３０宛てに、ＩＳＤＮ網Ｉ／Ｆ部２０１によって変換されたＩＳＤＮ網のプロトコルに対応した電気信号である装置内信号を送信し、また、ＧＷＣパッケージ３０から、ＩＳＤＮ網に向けて送出させる光信号に対応した電気信号である装置内信号（具体的には、呼制御機能部３０２によって変換されたＩＳＤＮ網のプロトコルに対応した電気信号である装置内信号）を受信する。
【００２８】
対ＧＷＣＩ／Ｆ部２０２は、ＧＷＣパッケージ３０宛てにＩＳＤＮ網Ｉ／Ｆ部２０１によって変換されたＩＳＤＮ網のプロトコルに対応した電気信号である装置内信号を送信する場合には、運用系と待機系の両方に到達するように送信する。すなわち、対ＧＷＣＩ／Ｆ部２０２は、ＧＷＣパッケージ３０に対しての経路選択をすることなく、両系へデータストリームを送信する。
【００２９】
また、対ＧＷＣＩ／Ｆ部２０２は、ＧＷＣパッケージ３０からＩＳＤＮ網に向けて送出させる光信号に対応した電気信号である装置内信号を受信した場合に、待機系として動作しているＧＷＣパッケージ３０から送信された装置内信号であれば該装置内信号を受理せずに破棄する処理を行う。例えば、対ＧＷＣＩ／Ｆ部２０２は、ＧＷＣパッケージ３０からのデータストリームを受信する部分に信号セレクタを具備し、運用系からの信号のみを選択して通過させ、待機系からの信号は遮断するよう信号セレクタを制御すればよい。なお、対ＧＷＣＩ／Ｆ部２０２は、図１における回線交換網入出力パッケージ２０の装置内Ｉ／Ｆ部１０１に相当する処理部である。
【００３０】
系状態保持部２０３は、当該ＰＲＩパッケージ２０において、二重化されたパッケージの系状態を判定するための情報を保持する。例えば、二重化された各々のパッケージについて、どちらの系で動作しているかを示す情報を保持するようにしてもよい。また、例えば、二重化されたパッケージの種類毎に、運用系として動作しているパッケージを識別するための情報を保持するようにしてもよい。なお、系状態保持部２０３は、後述するように、ＧＷＣパッケージ３０の系状態制御部３０５との間で系状態に関する情報のやりとりを行うことによって、二重化されたパッケージの系状態を判定するための情報を取得する。
【００３１】
ＩＰ網Ｉ／Ｆ部３０１は、ＩＰ網からＩＰパケット信号を入力して該ＩＰパケット信号を組み立てることによってＩＰ網のプロトコルに対応した電気信号である装置内信号に変換する。また、ＩＰ網のプロトコルに対応した電気信号である装置内信号が入力されると該装置内信号をパケット化してＩＰ網に送出する。ＩＰ網Ｉ／Ｆ部３０１は、当該ＧＷＣパッケージ３０が運用系として動作している場合にのみＩＰ網にＩＰパケット信号を送出する。
【００３２】
呼制御機能部３０２は、ＩＳＤＮ網Ｉ／Ｆ部２０１によって変換されるＩＳＤＮ網のプロトコルに対応した装置内信号およびＩＰ網Ｉ／Ｆ部３０１によって変換されるＩＰ網のプロトコルに対応した装置内信号に対し、該装置内信号を接続先の網のプロトコルに対応する装置内信号に変換する処理（プロトコル変換処理）を含む呼制御処理を行う。呼制御機能部３０２は、プロトコル変換処理の他に、例えば、交換機の機能を提供するための呼制御処理（呼び出し中のベルの音を作り発信者端末側に流す、タイムアウトを検出する等）を行う場合もある。本例では、ＩＳＤＮ網側の端末に対してＩＳＤＮ規格（Ｑ．９３１）に従った呼制御処理を行ったり、ＩＰ網側の端末に対してＳＩＰプロトコル等に添った呼制御処理を行ったりする。なお、呼制御機能部３０２では、このような呼制御処理を行うため、ＩＳＤＮ網Ｉ／Ｆ部２０１やＩＰ網Ｉ／Ｆ部３０１によって変換された装置内信号に基づいて網間接続中の呼の状態を示す呼情報を保持している。呼制御機能部３０２は、具体的には、音声信号に対しプロトコル変換を行うＤＳＰ（Digital Signal Processor）等による機能ブロックと、呼制御信号に対しプロトコル変換を行うＣＰＵ等による機能ブロックとに分かれて実装される。
【００３３】
対ＰＲＩ  Ｉ／Ｆ部３０３は、ＰＲＩパッケージ２０−ＧＷＣパッケージ３０間で網間接続に係る装置内信号の送受信を行う。対ＰＲＩ  Ｉ／Ｆ部３０３は、具体的には、ＰＲＩパッケージ２０宛てに、ＩＳＤＮ網に向けて送出させる光信号に対応した電気信号である装置内信号（具体的には、呼制御機能部３０２によって変換されたＩＳＤＮ網のプロトコルに対応した電気信号である装置内信号）を送信する。また、ＰＲＩパッケージ２０から、ＩＳＤＮ網のプロトコルに対応した電気信号である装置内信号を受信する。
【００３４】
対ＰＲＩ  Ｉ／Ｆ部３０３は、ＰＲＩパッケージ２０宛てに、ＩＳＤＮ網に向けて送出させる光信号に対応した電気信号である装置内信号を送信する場合には、運用系と待機系の両方に到達するように送信する。すなわち、対ＰＲＩ  Ｉ／Ｆ部３０３は、ＰＲＩパッケージ２０に対しての経路選択をすることなく、両系へデータストリームを送信する。
【００３５】
また、対ＰＲＩ  Ｉ／Ｆ部３０３は、ＰＲＩパッケージ２０からＩＳＤＮ網のプロトコルに対応した電気信号である装置内信号を受信した場合に、待機系として動作しているＧＷＣパッケージ３０から送信された装置内信号であれば該装置内信号を受理せずに破棄する処理を行う。例えば、対ＰＲＩ  Ｉ／Ｆ部３０３は、ＰＲＩパッケージ２０からのデータストリームを受信する部分に信号セレクタを具備し、運用系からの信号のみを選択して通過させ、待機系からの信号は遮断するよう信号セレクタを制御すればよい。なお、対ＰＲＩ  Ｉ／Ｆ部３０３は、図１におけるパケット通信網入出力パッケージ３０の装置内Ｉ／Ｆ部１０１に相当する処理部である。
【００３６】
なお、対ＰＲＩ  Ｉ／Ｆ部３０３は、受理した装置内信号を音声信号と呼制御信号とに振り分けるファームウェアを有している。
【００３７】
系状態保持部３０４は、当該ＧＷＣパッケージ３０において、二重化されたパッケージの系状態を判定するための情報を保持する。例えば、二重化された各々のパッケージについて、どちらの系で動作しているかを示す情報を保持するようにしてもよい。また、例えば、二重化されたパッケージの種類毎に、運用系として動作しているパッケージを識別するための情報を保持するようにしてもよい。
【００３８】
系状態制御部３０５は、二重化されたパッケージの障害状態を収集し、どちらを運用系として動作させるかを決定する。また、系切り替えが生じた際には各パッケージの系状態保持部（具体的には、ＰＲＩパッケージ２０−１の系状態保持部２０３と、ＰＲＩパッケージ２０−２の系状態保持部２０３と、ＧＷＣパッケージ３０−１の系状態保持部３０４と、ＧＷＣパッケージ３０−２の系状態保持部３０４）が保持している情報を更新させるための制御を行う。系状態制御部３０５は、例えば、網間接続に係る装置内信号とは異なる種別の装置内信号として、系状態を示す情報や、障害状態を示す情報を通知および収集してもよい。なお、ＧＷＣパッケージ３０が二重化されていることにより、系状態制御部３０５も二重に動作することになるため、例えば、通常時は、運用系として動作しているＧＷＣパッケージ３０の系状態制御部３０５だけが系切り替えの決定を行うようにした上で、運用系として動作している系状態制御部３０４に異常が生じた場合にのみ待機系として動作しているＧＷＣパッケージ３０の系状態制御部３０５が系切り替えの決定を行うようにすればよい。
【００３９】
例えば、系状態制御部３０５は、他系のＧＷＣパッケージ３０の系状態制御部３０５との間で、系切り替え要求や系切り替え応答のやりとりを行ったり、系状態情報の交換を行ったりすればよい。また、例えば、ＰＲＩパッケージ２０の系状態保持部２０３に対して、系変更要求を送信したり、系状態情報通知を送信したり、系状態情報の問い合わせを行ったりすればよい。ＧＷＣパッケージ３０の系状態保持部３０４に対して、直接制御できない場合には、パッケージ内通信を利用して同様のやりとりを行えばよい。そして、対する系状態保持部２０３（および系状態保持部３０５）では、運用系として動作しているＧＷＣパッケージ３０の系状態制御部３０５からの系状態変更要求や系状態情報通知を受け付けて情報を更新したり、自系状態変化時に運用系として動作しているＧＷＣパッケージ３０の系状態制御部３０５へその旨を通知したりすればよい。
【００４０】
次に、本実施例におけるデータストリームの流れについて説明する。まず、ＩＳＤＮ網からＩＰ網へのデータストリームの流れについて説明する。図３は、ＩＳＤＮ網からＩＰ網へのデータストリームの流れを示す説明図である。ここでは、ＰＲＩパッケージ２０−１が運用系、ＰＲＩパッケージ２０−２が待機系として動作し、また、ＧＷＣパッケージ３０−１が運用系、ＧＷＣパッケージ３０−２が待機系として動作している場合を例に説明する。
【００４１】
図３に示すように、光入力回線により送信されてきた光信号は、スプリッタ４０１によってＰＲＩパッケージ２０の両系（具体的には、２０−１と２０−２と）に同じデータストリームとして入力される。両系のＰＲＩパッケージ２０では、ＩＳＤＮ網Ｉ／Ｆ部２０１がそれぞれ電気信号に変換した上で、対ＧＷＣＩ／Ｆ部２０２がそれぞれＧＷＣパッケージ３０の両系（具体的には３０−１と３０−２と）に送信する。なお、従来技術に見られるような運用系にのみ送信するよう経路選択するといった処理は不要である。
【００４２】
両系のＧＷＣパッケージ３０では、対ＰＲＩ  Ｉ／Ｆ部３０３がそれぞれ両系のＰＲＩパッケージ２０から同様のデータストリームを受信するが、受信部分の信号セレクタにより、待機系のＰＲＩパッケージ２０（ここでは、ＰＲＩパッケージ２０−２）からのデータストリームは遮断し、運用系のＰＲＩパッケージ２０（ここでは、ＰＲＩパッケージ２０−１）からのデータストリームのみ入力を許可する。どちらのＰＲＩパッケージ２０が運用系または待機系なのかは、自パッケージ内の系状態保持部３０５に保持されている情報を利用して判定すればよい。
【００４３】
そして、両系のＧＷＣパッケージ３０では、呼制御機能部３０２がそれぞれ運用系のＰＲＩパッケージ２０（ＰＲＩパッケージ２０−１）から受信したデータストリーム（電気信号に変換された光信号）に対し、呼制御処理（プロトコル変換処理を含む）を行うことにより、ＩＰ網に対応するデータストリームに変換した上で、ＩＰ網Ｉ／Ｆ部３０１に出力する。ここで、運用系のＧＷＣパッケージ３０（ここでは、ＧＷＣパッケージ３０−１）のＩＰ網Ｉ／Ｆ部３０１は、変換されたデータストリームをパケット化してＩＰ網に送出するが、待機系のＧＷＣパッケージ３０（ここでは、ＧＷＣパッケージ３０−２）のＩＰ網Ｉ／Ｆ部３０１は、ＩＰ網への送出を遮断する。ここでの自系状態が運用系か待機系かの判定についても、自パッケージ内の系状態保持部３０５に保持されている情報を利用すればよい。
【００４４】
次に、ＩＰ網からＩＳＤＮ網へのデータストリームの流れについて説明する。図４は、ＩＰ網からＩＳＤＮ網へのデータストリームの流れを示す説明図である。ここでもＰＲＩパッケージ２０−１が運用系、ＰＲＩパッケージ２０−２が待機系として動作し、また、ＧＷＣパッケージ３０−１が運用系、ＧＷＣパッケージ３０−２が待機系として動作している場合を例に説明する。
【００４５】
図４に示すように、ＩＰ網から送信されていたＩＰパケットは、Ｌ３スイッチ５０１（または運用系のＧＷＣパッケージ３０のＩＰ網Ｉ／Ｆ部３０１）によってミラーリングされて、ＧＷＣパッケージ３０の両系に同じデータストリームとして入力される。両系のＧＷＣパッケージ３０では、ＩＰ網Ｉ／Ｆ部３０１がそれぞれＩＰパケットを組み立てて、呼制御機能部３０２がそれぞれ呼制御処理（プロトコル変換処理を含む）を行うことによってＩＳＤＮ網に対応する電気信号のデータストリームに変換した上で、対ＰＲＩ  Ｉ／Ｆ部３０３がそれぞれＰＲＩパッケージ２０の両系に送信する。なお、従来技術に見られるような運用系にのみ送信するよう経路選択するといった処理は不要である。
【００４６】
両系のＰＲＩパッケージ２０では、対ＧＷＣＩ／Ｆ部２０２がそれぞれ両系のＧＷＣパッケージ３０から同様のデータストリームを受信するが、各対ＧＷＣＩ／Ｆ部２０２は、受信部分の信号セレクタにより、待機系のＧＷＣパッケージ３０（ここでは、ＧＷＣパッケージ３０−２）からのデータストリームは遮断し、運用系のＧＷＣパッケージ３０（ここでは、ＧＷＣパッケージ３０−１）からのデータストリームのみ入力を許可する。どちらのＧＷＣパッケージ３０が運用系または待機系なのかは、自パッケージ内の系状態保持部２０３に保持されている情報を利用して判定すればよい。
【００４７】
そして、両系のＰＲＩパッケージ２０では、ＩＳＤＮ網Ｉ／Ｆ部２０１がそれぞれ運用系のＧＷＣパッケージ３０（ＧＷＣパッケージ３０−１）から入力されるデータストリーム（ＩＳＤＮ網に対応する電気信号のデータストリーム）を光信号に変換してＩＳＤＮ網に送出しようとするが、待機系のＰＲＩパッケージ２０（ＰＲＩパッケージ２０−２）のＩＳＤＮ網Ｉ／Ｆ部２０１は、自身のもつ送出遮断機能を利用して光回線への送出を遮断する。運用系のＰＲＩパッケージ２０（ＰＲＩパッケージ２０−１）のＩＳＤＮ網Ｉ／Ｆ部２０１は、入力されるデータストリームを光信号に変換して光回線に送出する。ここでの自系状態が運用系か待機系かの判定についても、自パッケージ内の系状態保持部２０３に保持されている情報を利用すればよい。
【００４８】
このように、本構成では、ＰＲＩパッケージ２０とＧＷＣパッケージ３０との間を、それぞれの運用系を通過したデータストリームのみが本装置を通過している。
【００４９】
また、図５は、運用系として動作していたＰＲＩパッケージ２０−１が障害発生により待機系に切り替わった際のデータストリームの流れを示す説明図である。図５に示すように、ＰＲＩパッケージ２０−１とＰＲＩパッケージ２０−２とで系切り替えが行われた場合であっても、それまでにＰＲＩパッケージ２０−１とＰＲＩパッケージ２０−２とには同等のデータストリームが入力されるとともに、両系のＧＷＣパッケージ３０に対してそれぞれが同等のデータストリームを出力する構成となっているため、それを受信するＧＷＣパッケージ３０側で、入力を許可するデータストリームを切り替えるだけで、特別な同期処理をすることなく、以降の処理を継続することができる。
【００５０】
また、図６は、運用系として動作していたＧＷＣパッケージ３０−１が障害発生により待機系に切り替わった際のデータストリームの流れを示す説明図である。図６に示すように、ＧＷＣパッケージ３０−１とＧＷＣパッケージ３０−２とで系切り替えが行われた場合であっても、ＰＲＩパッケージ２０の系切り替えと同様に、ＧＷＣパッケージ３０−１とＧＷＣパッケージ３０−２とには同等のデータストリームが入力されるとともに、両系のＰＲＩパッケージ２０に対してそれぞれが同等のデータストリームを出力する構成となっているため、それを受信するＰＲＩパッケージ２０側で、入力を許可するデータストリームを切り替えるだけで、特別な同期処理をすることなく、以降の処理を継続することができる。例えば、切り替え対象となったパッケージに、呼制御機能部３０２のように、それまでに受信したデータストリームに基づく呼情報等を保持している機能部が含まれている場合であっても、同等のデータストリームが待機系のパッケージにも入力されていることから、待機系の機能部においても同等の呼情報が保持されていることになるため、それらの情報を引き継ぐ等の状態同期処理を行うことなく、系切り替えを実行することができる。
【００５１】
以上のように、本実施形態によれば、二重化されたパッケージの両方で、同等のデータストリームが通過することになるため、系切替を考慮した状態同期にかかる実装が軽減され、また系切り替え実行時に必要な状態同期時間も低減される。
【００５２】
また、二重化したパッケージ同士の経路選択を必要としないことにより、データストリームが通過する機能ブロックにおいて、能動的な処理が必要なくなるという効果が得られる。例えば、ＧＷＣパッケージ３０を具体的に構成するＤＳＰ、ＬＡＮスイッチは、ＰＲＩパッケージ２０の系状態を知らなくても動作することができる。また、ＧＷＣパッケージ３０のファームウェアにおいて経路選択をさせるのであれば、「自身が運用系であれば運用系ＰＲＩパッケージ２０に送信する」、「自身が運用系であれば運用系ＰＲＩパッケージ２０からの受信のみ許可する」といった２つの情報をもって経路管理をしなければならないが、そのような経路管理は不要である。
【００５３】
また、本実施形態によれば、系状態変化時に起こりうる、装置が提供するサービスへの影響を低減することができる。系切り替え時処理時間を短縮することができるからである。また、あらゆるパターンを想定した複雑な経路選択論理を構築する必要が少なくなり、シンプルな実装が行うことができる。また、シンプルな構成になることにより、障害発生要因の低減も見込まれる。
【００５４】
なお、上記実施形態には、回線交換網とパケット通信網とを相互に接続するためのゲートウェイ装置であって、回線交換網から入力される回線交換網信号を装置内信号に変換するとともに、装置内信号が入力されると回線交換網信号に変換して回線交換網に送出する回線交換網インタフェース部（例えば、回線交換網Ｉ／Ｆ部２０１，ＩＳＤＮ網Ｉ／Ｆ部２０１）と、他のパッケージとの間で装置内信号の送受信を行う装置内インタフェース部（例えば、装置内Ｉ／Ｆ部１０１，対ＧＷＣＩ／Ｆ部２０２）とを含む回線交換網入出力用パッケージを、運用系と待機系とで二重化して備え、パケット通信網から入力されるパケット信号を装置内信号に変換するとともに、装置内信号が入力されるとパケット信号に変換してパケット通信網に送出するパケット通信網インタフェース部（例えば、パケット通信網Ｉ／Ｆ部３０１，ＩＰ網Ｉ／Ｆ部３０１）と、他のパッケージとの間で装置内信号の送受信を行う装置内インタフェース部（例えば、装置内Ｉ／Ｆ部１０１，対ＰＲＩ  Ｉ／Ｆ部３０３）とを含むパケット通信網入出力用パッケージを、運用系と待機系とで二重化して備えたゲートウェイ装置において、各パッケージに含まれる装置内インタフェース部は、装置内信号の宛先とされるパッケージが二重化されたパッケージである場合には、運用系と待機系の両方に送信するとともに、二重化されたパッケージから装置内信号を受信する場合には、待機系として動作しているパッケージからの装置内信号を破棄し、回線交換網インタフェース部は、当該回線交換網インタフェース部を含む回線交換網入出力用パッケージが待機系として動作している場合には回線交換網への信号送出を遮断し、パケット通信網インタフェース部は、当該パケット通信網インタフェース部を含むパケット通信網入出力用パッケージが待機系として動作している場合にはパケット通信網への信号送出を遮断するゲートウェイ装置の構成が示されている。
【００５５】
また、上記実施形態には、回線交換網インタフェース部とパケット通信網インタフェース部との間の装置内信号の入出力経路上に、回線交換網インタフェース部によって変換される装置内信号およびパケット通信網インタフェース部によって変換される装置内信号を、それぞれ接続先の網のプロトコルに対応する装置内信号に変換する処理を含む呼制御処理を行う呼制御機能部（例えば、呼制御機能部３０２）を備えたゲートウェイ装置の構成が示されている。
【００５６】
また、上記実施形態には、運用系回線交換網入出力用パッケージと待機系回線交換網入出力用パッケージとに、同一の回線交換網信号を入力させる回線交換網信号複製手段（例えば、スプリッタ４０１）と、運用系パケット通信網入出力用パッケージと待機系パケット通信網入出力用パッケージとに、同一のパケット信号を入力させるパケット網信号複製手段（例えば、Ｌ３スイッチ５０１）とを備えたゲートウェイ装置の構成が示されている。
【００５７】
また、上記実施形態には、各パッケージ内において、二重化されたパッケージの系状態を判定するための情報を保持する系状態保持部（例えば、系状態保持部３０４）を含むゲートウェイ装置の構成が示されている。
【００５８】
また、上記実施形態には、二重化されたパッケージの障害状態を収集し、どちらを運用系として動作させるかを決定し、系切り替えが生じた際に各パッケージの系状態保持部が保持している情報を更新させるための制御を行う系状態制御部（例えば、系状態制御部３０５）を備えたゲートウェイ装置の構成が示されている。
【００５９】
また、上記実施形態には、回線交換網信号が光信号であるゲートウェイ装置において、回線交換網インタフェース部は、回線交換網から入力される回線交換網信号を電気信号に変換することによって装置内信号に変換し、また、装置内信号を光信号に変換することによって回線交換網信号に変換し、パケット通信網インタフェース部は、パケット通信網から入力されるパケット信号を組み立てることによって装置内信号に変換し、また、装置内信号をパケット化することによってパケット信号に変換するゲートウェイ装置の構成が示されている。
【００６０】
また、上記実施形態には、回線交換網がＩＳＤＮ網であって、パケット通信網がＩＰ網であるゲートウェイ装置の構成が示されている。
【産業上の利用可能性】
【００６１】
本発明は、異なるプロトコルで動作する回線交換網を相互に接続するゲートウェイ装置であって、それぞれの網側の入出力インタフェース部分を二重化するゲートウェイ装置に好適に適用可能である。
【図面の簡単な説明】
【００６２】
【図１】本発明によるゲートウェイ装置の構成例を示すブロック図である。
【図２】本発明によるゲートウェイ装置のより具体的な構成例を示すブロック図である。
【図３】図２に示すゲートウェイ装置１においてＩＳＤＮ網からＩＰ網へのデータストリームの流れを示す説明図である。
【図４】図２に示すゲートウェイ装置１においてＩＰ網からＩＳＤＮ網へのデータストリームの流れを示す説明図である。
【図５】ＰＲＩパッケージ２０の系切り替え後のデータストリームの流れを示す説明図である。
【図６】ＧＷＣパッケージ３０の系切り替え後のデータストリームの流れを示す説明図である。
【符号の説明】
【００６３】
１  ゲートウェイ装置
２０  回線交換網入出力パッケージ，ＰＲＩパッケージ
３０  パケット通信網入出力パッケージ，ＧＷＣパッケージ
１０１  装置内Ｉ／Ｆ部
２０１  回線交換網Ｉ／Ｆ部，ＩＳＤＮ網Ｉ／Ｆ部
２０２  対ＧＷＣＩ／Ｆ部
２０３  系状態保持部
３０１  パケット通信網Ｉ／Ｆ部，ＩＰ網Ｉ／Ｆ部
３０２  呼制御機能部
３０３  対ＰＲＩ  Ｉ／Ｆ部
３０４  系状態保持部
３０５  系状態制御部
【図１】
0004893575.tif 000002
【図２】
0004893575.tif 000003
【図３】
0004893575.tif 000004
【図４】
0004893575.tif 000005
【図５】
0004893575.tif 000006
【図６】
0004893575.tif 000007